(57)【要約】      （修正有）【課題】金型を均等且つ安全に温めることができる帽子成形用の電熱器を提供する。【解決手段】内部が空洞で外表面を帽子の型に形成したドーム状の金型Ｆを置き台３中央に設けた電熱部４からの熱によって内側から温めて帽子の型入れが可能な帽子成形用の電熱器であって、電熱部４は、逆Ｕ字状をなして置き台３から所定高さ立ち上がり、その内部には電熱線を有すると共に、外面に放熱フィン４ｂを有し、さらに、金型Ｆの内部温度に応じて電熱線への給電をオンオフする。さらに、電熱部４の上方には耐熱性の天板６を備える。【選択図】図１
0003212031.tif 000002
【実用新案登録請求の範囲】
【請求項１】
内部が空洞で外表面を帽子の型に形成したドーム状の金型をその置き台中央に設けた電熱部からの熱によって内側から温めて帽子の型入れが可能な帽子成形用の電熱器であって、前記電熱部は、逆Ｕ字状をなして前記置き台から所定高さ立ち上がり、その内部には電熱線を有すると共に、外面に放熱フィンを有し、さらに、予め設定した前記金型の内部温度に応じて前記電熱線への給電をオンオフする帽子の成形用電熱器。
【請求項２】
さらに、電熱部の上方に耐熱性の天板を備えた請求項１記載の帽子の成形用電熱器。
【請求項３】
置き台は、金型の外径に応じて半径方向にスライドする金型押さえを備えた請求項１または２記載の帽子の成形用電熱器。
【請求項４】
さらにまた、電熱線の温度調整用ボリュームを備えた請求項１、２または３記載の帽子の成形用電熱器。
【請求項５】
温度センサによって金型の内部温度を検知し、電熱線への給電をオンオフする請求項４記載の帽子の成形用電熱器。
【考案の詳細な説明】
【技術分野】
【０００１】
この考案は、帽子を型入れする際に使用する帽子成形用電熱器に関する。
【背景技術】
【０００２】
帽子の仕上げ等に際して、木型を用いる成形方法では、帽子生地に蒸気をあてて木型に嵌め込み、外側から木べら等で型付けを行うといった一連の作業を、帽子生地が冷めないうちに手早く且つ正確に行わなければならず、熟練を要する。
【０００３】
そこで、木型の代わりに金型を用い、これを内側から温めながら成形を行う帽子仕上器が公知である（特許文献１・２）。この仕上器に用いる金型は、木型と同じく、表面が成形したい帽子の形状となっているが、内部は空洞としてドーム状となっている。そして、仕上器は、金型の置き台の中央に電熱部を備えており、電熱部が発する熱で金型を内側から温めながら帽子の型入れ作業を行えるようにしたものである。
【先行技術文献】
【特許文献】
【０００４】
【特許文献１】登録実用新案第３６９１７３号公報
【特許文献２】実開昭５６−３９４２２号公報
【考案の概要】
【考案が解決しようとする課題】
【０００５】
しかしながら、特許文献１・２の帽子仕上器は、電熱部が置き台の水平面に沿うように平面的に構成されているため、放熱の向きが上方に固定されている。このため、金型に加熱ムラが生じて、帽子を満遍なく型入れすることが困難であった。特に、電熱部からの放熱は金型の頂部に集中するが、電熱部をコントロールする温度センサを備えないため、成形中に帽子の天を傷めやすく、火傷や火災の危険性もあった。
【０００６】
本考案は上述した課題を解決するためになされたもので、その目的とするところは、金型を均等且つ安全に温めることができる帽子成形用の電熱器を提供することにある。
【課題を解決するための手段】
【０００７】
上述した目的を達成するために本考案では、内部が空洞で外表面を帽子の型に形成したドーム状の金型をその置き台中央に設けた電熱部からの熱によって内側から温めて帽子の型入れが可能な帽子成形用の電熱器であって、前記電熱部は、逆Ｕ字状をなして前記置き台から所定高さ立ち上がり、その内部には電熱線を有すると共に、外面に放熱フィンを有し、さらに、予め設定した前記金型の内部温度に応じて前記電熱線への給電をオンオフするという手段を用いた。
【０００８】
この手段によれば、電熱部が逆Ｕ字状であり、且つ、放熱フィンを備えるため、電熱部からの熱が四方八方に放散され、金型内部を均等に温めることができる。なお、本考案において、逆Ｕ字状とは、上部形状が湾曲したものに限らず、水平であるものも含む概念である。また、電熱線への給電をオンオフする手段としては温度センサによる他、サーモスタットが該当する。
【０００９】
さらに、電熱部の上方には耐熱性の天板を備えることが好ましい。天板によって金型の頂部に熱が集中することを遮り、また、上昇した熱を天板の周囲に熱を逃して、この部分の過熱を防止することができるからである。なお、天板の材質は、耐熱性の金属を例示することができるが、セラミックや耐熱性樹脂であってもよい。
【００１０】
置き台は、金型の外径に応じて半径方向にスライドする金型押さえを備えることが好ましい。あらゆる大きさ（外径）の金型をぐらつきなく置き台に固定することができるからである。
【００１１】
さらにまた、電熱線の温度調整用ボリュームを備えることが好ましい。帽子生地に応じた温度に調整することができるからである。また、温度センサによって金型の内部温度を検知し、電熱線への給電をオンオフするようにすることで、金型の内部温度を一定範囲に保つことができる。
【考案の効果】
【００１２】
本考案によれば、安全且つ均等に金型を内側から温めることができるため、熟練を有さずとも仕上がりのよい帽子を提供することができる。
【図面の簡単な説明】
【００１３】
【図１】本考案の一実施形態に係る帽子の成形用電熱器の全体斜視図
【図２】同、正面図
【図３】同、平面図
【考案を実施するための形態】
【００１４】
以下、本考案の好ましい実施の形態を添付した図面に従って説明する。図１は本考案の一実施形態に係る帽子の成形用電熱器を示す全体斜視図、図２はその正面図、図３は平面図である。これらの図に示したように、本器は、本体ボックス１の上面に円柱部２を介して金型Ｆの置き台３が設けられ、この置き台３の中央に逆Ｕ字状の電熱部４と温度センサ５が立設されている。なお、金型Ｆは、内部が空洞で外表面を帽子の型に形成したドーム状をなすもので、本考案において従来からあるものを使用することができる。
【００１５】
本体ボックス１は、側面に電源スイッチ１ａと温度調整用ボリューム１ｂを備え、また電源コンセント１ｃを備えて、内部には電熱部４や温度センサ５の電気回路（図示せず）を備える。なお、電源は商用交流電源１００ｖや２００ｖの他、バッテリーなどの直流電源であってもよい。
【００１６】
置き台３は、中央に円孔３ａが設けられており、その周囲には金型Ｆを外側から当接する金型押さえ３ｂを設けている。金型押さえ３ｂは側部の六角ソケット３ｃを六角ナット（図示せず）により正逆に回転させれば半径方向にスライドする。これによって、各サイズの金型Ｆをぐらつきなく固定することができるようになっている。なお、この実施形態では、３つの金型押さえ３ｂを１２０度の間隔で設けて金型Ｆを３点支持するようにしているが、その数は３つに限定されない。
【００１７】
電熱部４は、逆Ｕ字状をなして円柱部２に固定されたものであり、置き台３の円孔３ａを介して所定高さ立ち上がっている。その高さは使用する金型Ｆに応じて任意に設定することができる。そして、この電熱部４は逆Ｕ字状に折り曲げた中空パイプ４ａに電熱線（図示せず）が内蔵されている。また、中空パイプ４ａの外面には放熱フィン４ｂがスパイラル状に設けられている。
【００１８】
円柱部２には電熱部４と共に温度センサ５が置き台３の円孔３ａを介して立設されている。この温度センサ５は、金型Ｆの内部温度に応じて電気回路を開閉することによって電熱線への給電を制御し、金型Ｆの内部温度を自動的に一定範囲での恒温状態とするものである。
【００１９】
さらに、この実施形態では、電熱部４の上方に耐熱性を有する天板６を２本の支柱６ａによって水平に支持している。この天板６は電熱部４の熱が金型Ｆの頂部に集中することを妨げ、その周囲に熱を逃すことによって、金型Ｆの頂部の過熱を防止する機能を果たす。
【００２０】
上記構成からなる本器の使用方法は従来と変わらないが、本器では、電源投入後、温度調整用ボリューム１ｂによって型入れする帽子生地に応じた温度に設定することで、電熱部４からの熱は逆Ｕ字状の形状に沿って前後左右に放散され、また放熱フィン４ｂによって、より広範囲に満遍なく拡散される。したがって、金型Ｆをその内側から均等に温めることができる。
【００２１】
また、天板６によって金型Ｆの頂部に熱が集中することがなく、さらに温度センサ５によって確実に過熱が防止される。したがって、型入れ中に帽子生地が変質したり焼けることがなく、また、火傷や火災の心配もない。
【００２２】
なお、本考案は上記実施形態に限定されない。温度コントロールに関して、例えば、天板６は省略することができる。また、放熱フィン４ｂもスパイラル状に限らず、独立した羽根であってもよい。
【符号の説明】
【００２３】
１  本体ボックス
１ａ  電源スイッチ
１ｂ  温度調整用ボリューム
１ｃ  電源コンセント
２  円柱部
３  置き台
３ａ  円孔
３ｂ  金型押さえ
３ｃ  六角ソケット
４  電熱部
４ａ  中空パイプ（電熱線内蔵）
４ｂ  放熱フィン
５  温度センサ
６  天板
６ａ  支柱
【図１】
0003212031.tif 000003
【図２】
0003212031.tif 000004
【図３】
0003212031.tif 000005